(57)【特許請求の範囲】
【請求項１】
指紋読取面から読取った指紋を予め記憶された指紋と照合し認証する指紋認証手段を備える情報処理装置において、
直交座標が設定された表示面を有する表示手段と、
表示面上の指紋読取りに関連した複数の座標を指定する座標指定手段と、
座標指定と指紋読取りを同一の操作で行い、
指定された座標毎に定義された情報と、座標指定時に取得された複数の指紋の認証結果との組合せに基づく動作制御を行う制御手段とを含むことを特徴とする情報処理装置。
【請求項２】
前記情報処理装置は、
複数の指定された座標に定義された暗証番号を取得する暗証番号取得手段と、
取得された暗証番号を予め記憶された暗証番号と照合し認証する暗証番号認証手段と、をさらに含み、
前記制御手段は、暗証番号の認証結果と、前記指紋認証結果との組合せに基づき動作制御を行うことを特徴とする請求項１記載の情報処理装置。
【請求項３】
前記制御手段は、前記暗証番号の認証結果が正しいときに指紋認証手段を起動させることを特徴とする請求項２記載の情報処理装置。
【請求項４】
前記指紋認証手段は、複数指の指紋認証が可能であり、
前記制御手段は、前記指定された座標毎に定義された情報と、座標毎に対応づけられた指の指紋認証結果との組合せに基づき動作制御を行うことを特徴とする請求項１記載の情報処理装置。
【請求項５】
指紋読取面から読取った指紋を予め記憶された指紋と照合し認証する指紋認証手段を備える情報処理装置において、
前記指紋認証手段は複数指の指紋認証が可能であり、
直交座標が設定された表示面を有する表示手段と、
表示面上の指紋読取りに関連した座標を指定する座標指定手段と、
指定された座標での複数指の指紋認証結果の組合せに基づき動作制御を行う制御手段とを含むことを特徴とする情報処理装置。
【請求項６】
前記制御手段は、一致した指紋のユーザに対応するアプリケーションを起動することを特徴とする請求項１または５記載の情報処理装置。
【請求項７】
前記制御手段は、一致した指紋のユーザに対応するファイルのみを開くことを特徴とする請求項１または５記載の情報処理装置。
【請求項８】
前記情報処理装置は、
メニューの実行レベルに対応した領域を設定するメニュー実行レベル領域設定手段と、
指定された座標に基づいて設定されたメニュー実行レベル領域が指定されたか否かを判定するメニュー実行レベル領域指定判定手段と、をさらに含み、
前記制御手段は、メニュー実行レベル領域が指定されかつ指紋が一致したとき、ユーザ毎に予め設定された実行レベルの中の一致した指紋のユーザに対応する実行レベルであって、指定されたメニュー実行レベル領域の実行レベルでメニューを実行することを特徴とする請求項１または５記載の情報処理装置。
【請求項９】
前記制御手段は、各指毎の指紋認証結果と指紋入力順に基づき動作制御を行うことを特徴とする請求項１または５記載の情報処理装置。
【請求項１０】
指紋読取面から読取った指紋を予め記憶された指紋と照合し認証する指紋認証手段を備える情報処理装置において、
直交座標が設定された表示面に捺印欄を有する書類が表示される表示手段と、
前記捺印欄に指紋読取りの座標を設けた座標指定手段とを含み、
指紋入力で検出された座標が捺印欄の座標の場合には、
指紋認証の結果に基づき前記書類の捺印欄に承認印を付加する制御手段とを含むことを特徴とする情報処理装置。
【請求項１１】
前記情報処理装置は、さらに、
承認印が付加された書類を通信するための通信手段とを含むことを特徴とする請求項１０記載の情報処理装置。
【請求項１２】
前記情報処理装置は、さらに、
承認印が付加された書類に対して付帯処理をする付帯処理手段を含むことを特徴とする請求項１０記載の情報処理装置。
【請求項１３】
前記表示面と指紋読取面とが同一であることを特徴とする請求項１，５，１０のいずれか１つに記載の情報処理装置。
【請求項１４】
前記座標指定手段に指紋読取面が形成されていることを特徴とする請求項１，５，１０のいずれか１つに記載の情報処理装置。
【請求項１５】
前記制御手段は、特定座標が指定されたときに指紋認証手段を起動させることを特徴とする請求項１，５，１０のいずれか１つに記載の情報処理装置。
【請求項１６】
前記制御手段は、指紋が一致していたときに情報処理装置の電源の動作を制御することを特徴とする請求項１，５，１０のいずれか１つに記載の情報処理装置。
【請求項１７】
前記制御手段は、指紋が一致していたときにユーザ毎に予め設定された動作条件の中から一致した指紋のユーザに対応する動作条件を読出して設定することを特徴とする請求項１，５，１０のいずれか１つに記載の情報処理装置。
【発明の詳細な説明】
【０００１】
【発明の属する技術分野】
本発明は、指紋認証機能を備える情報処理装置に関する。
【０００２】
【従来の技術】
ネットワーク社会の発展によって、情報処理装置とネットワークとの融合が進展し、個人認証などのセキュリティ機能の必要性が増してきている。個人認証としては、情報処理装置が他人に悪用されにくく、鍵やＩＣ（集積回路）カードのように紛失の可能性のない、指紋などの生体情報による認証が注目されている。指紋の読取方式としてはプリズムなどの光学系を用いたものが主流であり、たとえば特開平８−３１５１４３号に開示されているが、液晶表示装置のＴＦＴ（薄膜トランジスタ）素子に隣接してフォトダイオードを配置してＣＣＤ（電荷結合素子）のようにして画像を読出す技術が特開平９−１８６３１２号に開示されている。また、指紋識別の手法に関する技術が特開平７−２２００７５号や特開平１０−１５４２３１号に開示されている。さらに、指紋認証結果に基づく情報処理装置の動作制御に関する技術が特開平１０−６９３２４号に開示されている。
【０００３】
図２４は、指紋認証機能を備える従来技術の情報処理装置１のブロック図である。また図２５は、情報処理装置１の指紋読取部４と表示部７とを示す図である。情報処理装置１の中央処理部２には、指紋読取部４を制御する指紋データセンシング制御部３、キーボードなどのキー入力部５、液晶表示装置などの表示部７を制御する表示制御部６、不揮発性メモリで実現される記憶部８、ネットワークとの接続やプリンタなどの周辺機器との接続のための入出力部９および記憶部１０が接続され、装置全体の動作を統括的に制御する。
【０００４】
記憶部８にはユーザの登録データが記憶されており、必要に応じて中央処理部２によって読出され、記憶部１０に転送され格納される。なお、アプリケーションプログラムも同様に記憶部８に記憶され、必要に応じて中央処理部２が読出し、記憶部１０に転送し格納されるが、記憶部１０に記憶しておいても構わない。
【０００５】
指紋読取部４は、上述したような光学系を用いた特開平８−３１５１４３号の方式や特開平９−１８６３１２号の技術で実現される。指紋読取部４で読取られた指紋は、指紋データセンシング制御部３の指紋データ記憶部２１に一時記憶された後、記憶部１０に与えられる。
【０００６】
記憶部１０は、指紋データの特徴抽出部１３と特徴データの照合部１４とを有する指紋認証部１２、データ読出部１６とデータ格納部１７とを有する登録ユーザの指紋読出し・格納部１５およびアプリケーションプログラム格納部１８で構成されるプログラム・ワークメモリ１１を備える。
【０００７】
従来技術の情報処理装置１においては、図２５（Ａ）に示されるように指紋読取部４と表示部７の表示面１９とは独立して設けられる。またあるいは、図２５（Ｂ）に示されるように指紋読取部４の指紋読取面２０と表示部７の表示面１９とは独立して設けられる。このため、指紋読取りに関する座標を用いた情報処理装置１の動作制御は行われていない。
【０００８】
【発明が解決しようとする課題】
本発明の目的は、高いセキュリティ性および高い操作性を有する指紋認証機能を備える情報処理装置を提供することである。
【０００９】
【課題を解決するための手段】
本発明は、指紋読取面から読取った指紋を予め記憶された指紋と照合し認証する指紋認証手段を備える情報処理装置において、
直交座標が設定された表示面を有する表示手段と、
表示面上の指紋読取りに関連した複数の座標を指定する座標指定手段と、
座標指定と指紋読取りを同一の操作で行い、
指定された座標毎に定義された情報と、座標指定時に取得された複数の指紋の認証結果との組合せに基づく動作制御を行う制御手段とを含むことを特徴とする情報処理装置である。
【００１０】
本発明に従えば、指紋読取面から読取られた指紋は予め記憶された指紋と照合され、一致する指紋があるかどうかの認証がなされる。情報処理装置では、このようにして指紋認証機能が実現される。また、指紋認証時には、表示手段の表示面上の指紋読取りに関連した複数の座標が座標指定手段によって指定される。制御手段は、座標指定と指紋読取りを同一の操作で行い、指定された座標毎に定義された情報と、座標指定時に取得された複数の指紋の認証結果との組合せに基づいて情報処理装置の動作を制御する。このように、指紋認証時における座標指定という簡単な操作によって高度なセキュリティでの情報処理装置の動作制御を可能とする。
【００１１】
また本発明は、前記情報処理装置は、
複数の指定された座標に定義された暗証番号を取得する暗証番号取得手段と、
取得された暗証番号を予め記憶された暗証番号と照合し認証する暗証番号認証手段と、をさらに含み、
前記制御手段は、暗証番号の認証結果と、前記指紋認証結果との組合せに基づき動作制御を行うことを特徴とする。
【００１２】
本発明に従えば、複数の指定された座標に基づく暗証番号が暗証番号取得手段によって取得される。取得された暗証番号は予め記憶された暗証番号と照合され、一致しているかどうかの認証がなされる。情報処理装置では、このようにして暗証番号の認証機能が実現される。制御手段は、暗証番号の認証結果と指紋認証結果との組合せに基づいて情報処理装置の動作を制御する。これにより、さらに高度なセキュリティでの情報処理装置の動作制御を可能とする。
【００１３】
また本発明は、前記制御手段は、前記暗証番号の認証結果が正しいときに指紋認証手段を起動させることを特徴とする。
【００１４】
本発明に従えば、前記暗証番号の認証結果が正しいときに指紋認証手段を起動するよう情報処理装置の動作を制御することができる。したがって、特定の暗証番号以外の番号が取得されたときには指紋認証を行わないようにして、高いセキュリティ性を得ることができる。
【００１５】
また本発明は、前記指紋認証手段は、複数指の指紋認証が可能であり、
前記制御手段は、前記指定された座標毎に定義された情報と、座標毎に対応づけられた指の指紋認証結果との組合せに基づき動作制御を行うことを特徴とする。
【００１６】
本発明に従えば、指紋認証手段は、複数指の指紋認証が可能である。制御手段は、前記指定された座標毎に定義された情報と、座標毎に対応づけられた指の指紋認証結果との組合せに基づいて情報処理装置の動作を制御する。これにより、さらに高度なセキュリティでの情報処理装置の動作制御を可能とする。
【００１７】
また本発明は、指紋読取面から読取った指紋を予め記憶された指紋と照合し認証する指紋認証手段を備える情報処理装置において、
前記指紋認証手段は複数指の指紋認証が可能であり、
直交座標が設定された表示面を有する表示手段と、
表示面上の指紋読取りに関連した座標を指定する座標指定手段と、
指定された座標での複数指の指紋認証結果の組合せに基づき動作制御を行う制御手段とを含むことを特徴とする情報処理装置である。
【００１８】
本発明に従えば、指紋読取面から読取られた指紋は予め記憶された複数指の指紋と照合され、一致する指紋があるかどうかの認証がなされる。情報処理装置では、このようにして指紋認証機能が実現される。また、指紋認証時には、表示手段の表示面上の指紋読取りに関連した座標が座標指定手段によって指定される。制御手段は、指定された座標での複数指の指紋認証結果の組合せに基づいて情報処理装置の動作を制御する。これにより、高度なセキュリティでの情報処理装置の動作制御を可能とする。
【００１９】
また本発明は、前記制御手段は、一致した指紋のユーザに対応するアプリケーションを起動することを特徴とする。
【００２０】
本発明に従えば、制御手段は、指紋が一致したとき、ユーザ毎に予め設定されたアプリケーションの中の一致した指紋のユーザに対応するアプリケーションを起動する。このように、指紋認証時における座標指定という簡単な操作によって情報処理装置の動作を制御することができる。
【００２１】
また本発明は、前記制御手段は、一致した指紋のユーザに対応するファイルのみを開くことを特徴とする。
【００２２】
本発明に従えば、制御手段は、一致した指紋のユーザのファイルのみを開く。このように、指紋認証時における座標指定という簡単な操作によって情報処理装置の動作を制御することができる。
【００２３】
また本発明は、前記情報処理装置は、
メニューの実行レベルに対応した領域を設定するメニュー実行レベル領域設定手段と、
指定された座標に基づいて設定されたメニュー実行レベル領域が指定されたか否かを判定するメニュー実行レベル領域指定判定手段と、をさらに含み、
前記制御手段は、メニュー実行レベル領域が指定されかつ指紋が一致したとき、ユーザ毎に予め設定された実行レベルの中の一致した指紋のユーザに対応する実行レベルであって、指定されたメニュー実行レベル領域の実行レベルでメニューを実行することを特徴とする。
【００２４】
本発明に従えば、メニュー実行レベル領域指定判定手段は、指定された座標に基づいて、メニュー実行レベル領域設定手段によって設定されたメニュー実行レベル領域が指定されたか否かを判定する。制御手段は、この判定結果および指紋認証結果に基づいて情報処理装置の動作を制御する。すなわち、メニュー実行レベル領域が指定されかつ指紋が一致したとき、ユーザ毎に予め設定された実行レベルの中の一致した指紋のユーザに対応する実行レベルであって、指定されたメニュー実行レベル領域の実行レベルでメニューを実行する。このように、指紋認証時における座標指定という簡単な操作によって情報処理装置の動作を制御することができる。
【００２５】
また本発明は、前記制御手段は、各指毎の指紋認証結果と指紋入力順に基づき動作制御を行うことを特徴とする。
【００２６】
本発明に従えば、制御手段は、各指毎の指紋認証結果と指紋入力順に基づいて情報処理装置の動作を制御する。これにより、高いセキュリティ性を得ることができる。
【００２７】
また本発明は、指紋読取面から読取った指紋を予め記憶された指紋と照合し認証する指紋認証手段を備える情報処理装置において、
直交座標が設定された表示面に捺印欄を有する書類が表示される表示手段と、
前記捺印欄に指紋読取りの座標を設けた座標指定手段とを含み、
指紋入力で検出された座標が捺印欄の座標の場合には、
指紋認証の結果に基づき前記書類の捺印欄に承認印を付加する制御手段とを含むことを特徴とする情報処理装置である。
【００２８】
本発明に従えば、指紋読取面から読取られた指紋は予め記憶された指紋と照合され、一致する指紋があるかどうかの認証がなされる。情報処理装置では、このようにして指紋認証機能が実現される。また、捺印欄を有する書類に対して、指紋読取りに関連して指定された座標が捺印欄内の座標であったときには、承認印が付加される。これにより、書類に対する捺印の承認に対して高いセキュリティ性を得ることができる。
【００２９】
また本発明は、前記情報処理装置は、さらに、
承認印が付加された書類を通信するための通信手段とを含むことを特徴とする。
【００３０】
本発明に従えば、承認印が付加された書類を通信手段によって通信することができるので、報告書などの書類を次の人に転送して回覧することができる。
【００３１】
また本発明は、前記情報処理装置は、さらに、
承認印が付加された書類に対して付帯処理をする付帯処理手段を含むことを特徴とする。
【００３２】
本発明に従えば、承認印が付加された書類を付帯処理手段によって付帯処理することができるので、決済承認願などの書類に対して注文書の発行処理を行うことができる。
【００３３】
また本発明は、前記表示面と指紋読取面とが同一であることを特徴とする。
また本発明は、前記座標指定手段に指紋読取面が形成されていることを特徴とする。
【００３４】
本発明に従えば、指紋認証時には指紋読取面である表示面にユーザの指が接触され、このようにして指紋読取面から読取られた指紋が照合され認証される。また、表示面上の指紋読取りに関連した座標、すなわち指を接触した位置の座標は、指の接触時に指定される。制御手段は、このような簡単な操作によって指定された座標に基づいて情報処理装置の動作を制御する。表示面と指紋読取面とが同一なので、指紋入力と座標指定とを同一の操作で行うことができ、高い操作性が得られる。
本発明に従えば、指紋認証時には、座標指定手段に形成された指紋読取面にユーザの指が接触され、このようにして指紋読取面から読取られた指紋が照合され認証される。また、表示面上の指紋読取りに関連した座標は、座標指定手段によって指定される。制御手段は、このような簡単な操作によって指定された座標に基づいて情報処理装置の動作を制御する。座標指定手段に指紋読取面が形成されるので、座標指定と指紋入力とを同一の操作で行うことができ、高い操作性が得られる。
【００３５】
また本発明は、前記制御手段は、特定座標が指定されたときに指紋認証手段を起動させることを特徴とする。
【００３６】
本発明に従えば、指定された座標が特定の座標であったときに指紋認証手段を起動するよう情報処理装置の動作を制御することができる。したがって、特定座標以外の座標が指定されたときには指紋認証を行わないようにして、高いセキュリティ性を得ることができる。
【００３７】
また本発明は、前記制御手段は、指紋が一致していたときに情報処理装置の電源の動作を制御することを特徴とする。
【００３８】
本発明に従えば、実行された指紋認証の結果、読取られた指紋が予め記憶された指紋と一致していたときに、情報処理装置の電源のオン／オフ動作が制御される。たとえば、指紋が一致していたときに、電源をオフ状態からオン状態にする。このようにして高いセキュリティ性および操作性を得ることができ、また消費電力の低減を図ることができる。
【００３９】
また本発明は、前記制御手段は、指紋が一致していたときにユーザ毎に予め設定された動作条件の中から一致した指紋のユーザに対応する動作条件を読出して設定することを特徴とする。
本発明に従えば、実行された指紋認証の結果、読取られた指紋が予め記憶された指紋と一致していたときに、ユーザ毎に予め設定された動作条件の中から一致した指紋のユーザに対応する動作条件が読出されて設定される。したがって、ユーザに適した操作環境や利用機能を設定することができ、高い操作性が得られる。
【００４０】
【発明の実施の形態】
図１は、本発明の実施の一形態である情報処理装置３１のブロック図である。指紋認証機能を備える情報処理装置３１の中央処理部３２には、表示・指紋読取部３４の指紋読取動作を制御する指紋データセンシング制御部３３、指紋センシングエリア設定部３５、表示・指紋読取部３４の表示動作を制御する表示制御部３６、キーボードなどのキー入力部３７、不揮発性メモリで実現される記憶部３８、ネットワークとの接続やプリンタなどの周辺機器との接続のための入出力部３９および記憶部４０が接続され、装置全体の動作を統括的に制御する。
【００４１】
表示・指紋読取部３４において、たとえば液晶表示装置で実現される表示部の直交座標が設定された表示面と、公知の技術によって実現される指紋読取部の指が接触される指紋読取面とは同一である。具体的には、液晶表示装置のすべての画素にデータ読取りのためのセンサが設けられる。該センサは液晶表示装置のすべての画素に設ける必要はなく、一部の画素だけに設けても構わない。このようにして、図２に示される表示・データ読取画面５９を有する表示・指紋読取部３４によって、画面５９の上の座標データと指紋データとが取得される。中央処理部３２は、取得された座標データに基づいて情報処理装置３１の動作を制御し、また取得された指紋データに基づいて装置３１の動作を制御する。
【００４２】
なお、表示・指紋読取部３４として、たとえば本願出願人による特願平１１−１２２３１号に記載した画像読取装置であって、液晶層内部に受光素子を埋込んで指紋データを読取る画像読取装置を採用しても構わない。情報処理装置３１では、指紋読取手段、表示手段および座標指定手段が表示・指紋読取部３４によって実現される。
【００４３】
指紋データセンシング制御部３３の座標位置・指紋データ記憶部５８には、表示・指紋読取部３４で取得された座標データと指紋データとが一時記憶される。これらの記憶データは記憶部４０に転送される。表示・指紋読取部３４には、表示制御部３６から表示データが与えられる。また、表示・指紋読取部３４の表示動作と指紋読取動作とのタイミングの制御は、中央処理部３２によって行われる。
【００４４】
指紋センシングエリア設定部３５は、画面５９中に指紋読取領域６０を設定する。該領域６０は、たとえば入力ペンなどの指示手段によって指定された２点の座標を向かい合った頂点とする矩形領域である。キー入力部３７からは、必要に応じて指紋データに対する付加データなどが入力される。
【００４５】
記憶部３８には予め登録されたユーザ登録データが記憶されており、必要に応じて中央処理部３２によって読出され、記憶部４０に転送され格納される。なお、アプリケーションプログラムも同様に記憶部３８に記憶され、必要に応じて中央処理部３２が読出し、記憶部４０に転送し格納されるが、記憶部４０に記憶しておいても構わない。
【００４６】
記憶部４０は、指紋認証部４２、ユーザの登録データの読出し・格納部４５およびアプリケーションプログラム格納部４８で構成されるプログラム・ワークメモリ４１を備える。指紋認証部４２は、指紋データの特徴データを抽出する特徴抽出部４３と、抽出された特徴データを照合する照合部４４とを有する。ユーザの登録データの読出し・格納部４５は、ユーザ登録データを読出すデータ読出部４６と、読出されたユーザ登録データを格納するデータ格納部４７とを有する。
【００４７】
図３は、記憶部３８のユーザ登録データを示す図である。ユーザ登録データは、ユーザ毎の、基本データ部６１と関連データ部６２とで構成される。基本データ部６１は、ユーザの氏名データ格納部６３、指紋データの格納部６４および役職・代理決済者データの格納部６５で構成される。前記指紋データの格納部６４には、左手各指の指紋データ６４ａと右手各指の指紋データ６４ｂとがそれぞれ格納される。関連データ部６２は、操作環境データの格納部６６、利用機能の制限データの格納部６７、各指のショートカットデータの格納部６８、権限データの格納部６９および起動アプリケーションの設定データの格納部７０で構成される。前記権限データの格納部６９には、機器設定変更レベル６９ａ、ネットワーク接続変更レベル６９ｂおよびその他のデータ６９ｃがそれぞれ格納される。
【００４８】
操作環境とは情報処理装置３１の動作条件に相当し、たとえば操作案内を行うヘルプ情報などの特定情報の表示／非表示、スクリーンキーなどの特定キーのオン／オフ、表示される文字の大きさなどを規定するデータである。利用機能の制限データも動作条件に相当し、たとえば接続されるＣＤ（コンパクトディスク）−ＲＯＭ（リードオンリメモリ）からのデータ読出しの可／不可、ＳＩＯ（ファイル転送プロトコル）の利用の可／不可などを規定するデータである。各指のショートカットデータはユーザの各指毎に予め設定されたコマンドに相当し、たとえばスケジュールの登録機能の実行を指定するコマンドである。権限データとは、機器設定変更レベルやネットワーク接続変更レベルなどを規定するデータである。起動アプリケーションとは、決済承認願に捺印されたときに実行される注文書発行のアプリケーションや報告書に捺印されたときに実行されるネットワーク接続のアプリケーションである。
【００４９】
図４は、情報処理装置３１の第１動作を示すフローチャートである。ステップａ１では、指紋の読取りに必要な要素、すなわち中央処理部３２、指紋データセンシング制御部３３および表示・指紋読取部３４を電源オン状態とし、指紋の読取りに必要でない要素は電源オフ状態として、比較的遅い指紋入力の検出周期で指紋入力を待つ。指紋の入力があるまでこの状態が維持され、このようにして消費電力の低減が図られる。
【００５０】
次のステップａ２では、表示・指紋読取部３４の表示・データ読取画面５９への指の接触による電源オンの操作があったか否かを中央処理部３２が判断する。指が接触されて、電源オン操作があったと判断すると、次のステップａ３に進む。指が接触されると、指紋データセンシング制御部３３は中央処理部３２に対して割込信号を発生する。この割込信号に基づいて中央処理部３２は電源オンの操作ありの判断を行う。またあるいは、中央処理部３２から指紋データセンシング処理部３３へのポーリングによるステータスの読出しによって、中央処理部３２は電源オンの操作ありの判断を行う。
【００５１】
ステップａ３では、情報処理装置３１全体の電源状態をオンとし、指紋データセンシング制御部３３は表示・指紋読取部３４から指紋データと指が接触された位置の座標データとを読出し、記憶部５８に一時記憶する。これらのデータは、中央処理部３２を介して記憶部４０に転送される。またあるいは、中央処理部３２を介さずにＤＭＡ（ダイレクトメモリアクセス）によってそのまま記憶部４０に転送される。
【００５２】
次のステップａ４では、取得された座標データによる位置が特定の位置であるか否かを中央処理部３２が判断する。特定位置であったときにはステップａ５に進み、特定位置でなかったときにはステップａ２に戻る。
【００５３】
ステップａ５では、中央処理部３２は、記憶部３８に登録されているユーザ登録データの指紋データを読出し、記憶部４０に格納する。次のステップａ６では、中央処理部３２は取得された指紋データと記憶部３８から読出された指紋データとを、記憶部４０に記憶された指紋認証プログラムによって照合し認証する。次のステップａ７では、指紋が一致しているか否かを判断する。一致しているときには電源オン状態を維持して動作を終了する。一致していないときにはステップａ８に進む。
【００５４】
ステップａ８では、記憶部３８に登録されている指紋データがまだあるか否かを判断し、まだあるときにはステップａ５に戻って登録されている指紋データがなくなるまで指紋認証動作を繰返す。登録されている指紋データがもうないときにはステップａ９に進み、エラー表示を行ってステップａ１に戻る。
【００５５】
なお、記憶部４０に記憶された指紋認証プログラムは、記憶部３８から読出されて格納されたものである。該プログラムは指紋認証の度に読出して格納する必要はなく、最初に読出して格納したプログラムを繰返し使用しても構わない。
【００５６】
また、ここでは、記憶部３８に登録されている指紋データを認証の度に記憶部４０に読出す例について説明したが、登録されているすべての指紋データを最初に読出すようにしても構わない。
【００５７】
さらに、ステップａ９のエラー表示は必要に応じて行えばよく、ステップａ８で登録されている指紋データがもうないときには直ちにステップａ１に進んでも構わない。
【００５８】
図５は、情報処理装置を３１の第２動作を示すフローチャートである。このフローチャートは図４のフローチャートにステップａ１０，ａ１１を追加したものであり、同じステップの説明は省略する。ステップａ７で指紋が一致しているか否かを判断し、一致していたときにはステップａ１０に進む。ステップａ１０では、記憶部３８に登録されている関連データのうち、一致した指紋のユーザに対応した関連データがあるか否かを判断する。あるときにはステップａ１１に進んで該関連データを読出す。そして、該関連データに基づいた操作環境や利用機能を設定して、電源オン状態を維持して動作を終了する。関連データがないときにはそのままの電源オン状態を維持して動作を終了する。
【００５９】
図６は、情報処理装置３１の第３動作を示すフローチャートである。ステップａ２１では、表示・指紋読取部３４の表示・データ読取画面５９に図７に示されるような暗証番号の入力を促す画面７１が設定され表示される。画面７１には、０〜９までの数値を指定して暗証番号を入力するための暗証番号入力領域７２が設定されている。なお、該領域７２は指紋入力領域でもある。次のステップａ２２では、画面７１の暗証番号入力領域７２への指の接触による暗証番号の入力操作があったか否かを中央処理部３２が判断する。領域７２に指が接触されて、暗証番号の入力操作があったと判断すると、次のステップａ２３に進む。ここで、暗証番号の入力と同時に指紋も入力される。また、領域７２以外の領域への指の接触は無視される。
【００６０】
ステップａ２３では、指紋データセンシング制御部３３は表示・指紋読取部３４から指紋データと指が接触された位置の座標データとを読出し、記憶部５８に一時記憶する。次のステップａ２４では、取得された座標データによる位置に基づいて、暗証番号を検知し取得する。次のステップａ２５では、取得された指紋データを記憶部４０に格納する。次のステップａ２６では、暗証番号の入力が予め定められた桁数、たとえば４桁まで行われたか否かを判断する。入力されたときにはステップａ２７に進み、入力されていないときにはステップａ２２に戻る。
【００６１】
ステップａ２７では、中央処理部３２は、取得された暗証番号と予め登録された暗証番号とを照合し認証して、両者が一致しているか否かを判断する。一致しているときにはステップａ２８に進み、一致していないときにはステップａ２９に進む。暗証番号が一致していたステップａ２８では、中央処理部３２は、取得された指紋データと予め記憶された指紋データとを照合し認証して、両者が一致しているか否かを判断する。一致しているときにはそのまま動作を終了し、一致していないときにはステップａ３０に進む。ステップａ２９，ａ３０では、エラー表示を行って動作を終了する。
【００６２】
なお、暗証番号の認証プログラムは前記指紋認証プログラムと同様に、記憶部３８から読出されて記憶部４０に格納される。該プログラムも暗証番号の認証の度に読出して格納する必要はなく、最初に読出して格納したプログラムを繰返し使用しても構わない。また、ステップａ２９，ａ３０のエラー表示は必要に応じて行えばよく、ステップａ２７，２８の動作終了後、直ちに動作を終了しても構わない。
【００６３】
図８は、情報処理装置３１の第４動作を示すフローチャートである。ステップａ４１では、表示・指紋読取部３４の表示・データ読取画面５９に図９に示されるような指紋の入力を促す画面７３が設定され表示される。画面７３には、複数の指紋入力枠７４が設定されている。また、記憶部３８に記憶された指紋データが読出され記憶部４０に格納される。
【００６４】
次のステップａ４２では、画面７３の指紋入力枠７４内への指の接触による指紋の入力操作があったか否かを中央処理部３２が判断する。枠７４内に指が接触されて、指紋の入力操作があったと判断すると、次のステップａ４３に進む。ここで、枠７４外への指の接触は無視される。
【００６５】
ステップａ４３では、指紋データセンシング制御部３３は表示・指紋読取部３４から指紋データと指が接触された位置の座標データとを読出し、記憶部５８に一時記憶する。次のステップａ４４では、取得された座標データによる位置に基づいて、入力された枠７４を検知して取得する。次のステップａ４５では、取得された指紋データを記憶部４０に格納する。次のステップａ４６では、指紋入力があった枠順と、予め登録された枠順とを照合し認証して、両者が一致しているか否かを判断する。一致しているときにはステップａ４７に進み、一致していないときにはステップａ４８に進む。
【００６６】
ステップａ４７では、中央処理部３２は、予め登録された枠順をすべて照合し認証したか否かを判断する。すべて照合し認証したときにはそのまま動作を終了し、すべて照合し認証していないときにはステップａ４２に戻る。ステップａ４８では、エラー表示を行って動作を終了する。
【００６７】
なお、枠順の認証プログラムは前記指紋認証プログラムと同様に、記憶部３８から読出されて記憶部４０に格納される。該プログラムも枠順の認証の度に読出して格納する必要はなく、最初に読出して格納したプログラムを繰返し使用しても構わない。また、ステップａ４８のエラー表示は必要に応じて行えばよく、ステップａ４６で枠順が一致していなかったときには直ちに動作を終了しても構わない。
【００６８】
図１０は、情報処理装置３１の第５動作を示すフローチャートである。ステップａ５１では、表示・指紋読取部３４の表示・データ読取画面５９に図１１に示されるような指紋の入力を促す画面７５が設定され表示される。画面７５には、各指毎の指紋入力枠７６が設定されている。また、記憶部３８に記憶された指紋データが読出され記憶部４０に格納される。
【００６９】
次のステップａ５２では、画面７５の指紋入力枠７６内への指の接触による指紋の入力操作があったか否かを中央処理部３２が判断する。枠７６内に指が接触されて、指紋の入力操作があったと判断すると、次のステップａ５３に進む。ここで、枠７６外への指の接触は無視される。
【００７０】
ステップａ５３では、指紋データセンシング制御部３３は表示・指紋読取部３４から指紋データと指が接触された位置の座標データとを読出し、記憶部５８に一時記憶する。次のステップａ５４では、取得された座標データによる位置に基づいて、入力された枠７６を検知して取得し、どの指の指紋データであるかのラベリングを行う。次のステップａ５５では、取得されたラベリングされた各指紋データを記憶部４０に格納する。
【００７１】
次のステップａ５６では、ラベリングされた各指紋データと、予め登録された指紋データとを照合し認証して、両者が一致しているか否かを判断する。また、指紋入力があった枠順と、予め登録された枠順とを照合し認証して、両者が一致しているか否かを判断する。ここで、指紋および枠順は、その両方を判断してもよいし、いずれか一方を判断しても構わない。指紋および／または枠順が一致しているときにはそのまま動作を終了し、一致していないときにはステップａ５７に進んでエラー表示を行って動作を終了する。
【００７２】
なお、ステップａ５７のエラー表示は必要に応じて行えばよく、ステップａ５６で指紋および／または枠順が一致していないときには直ちに動作を終了しても構わない。
【００７３】
図１２は、情報処理装置３１の第６動作を示すフローチャートである。このフローチャートは、図１０のフローチャートのステップａ５４〜ａ５７を削除し、ステップａ５８〜ａ６１を追加したものであり、同じステップの説明は省略する。ステップａ５３で、指紋データセンシング制御部３３は表示・指紋読取部３４から指紋データと指が接触された位置の座標データとを読出し、記憶部５８に一時記憶し、記憶部４０に転送すると、次のステップａ５８では、指紋データを照合し認証して、一致しているか否かを判断する。一致しているときにはステップａ５９に進み、一致していないときにはステップａ６１に進む。
【００７４】
ステップａ５９では、一致していた指紋データのユーザに対応する関連データが記憶されているか否かを判断する。記憶されているときにはステップａ６０に進み、関連データによる各指毎に予め設定されたコマンドを読出して実行して動作を終了する。関連データが記憶されていないときにはそのまま動作を終了する。ステップａ６１では、エラー表示を行って動作を終了する。
【００７５】
なお、ステップａ６１のエラー表示は必要に応じて行えばよく、ステップａ５８で指紋データが一致していないときには直ちに動作を終了しても構わない。
【００７６】
図１３は、情報処理装置３１の第７動作を示すフローチャートである。ステップａ７１では、表示・指紋読取部３４の表示・データ読取画面５９に図１４に示されるようなアイコンの指定を促す画面７７が設定され表示される。画面７７には、複数のアイコン７８ａ〜７８ｆが設定されている。なお、該アイコン７８ａ〜７８ｆの領域は指紋入力領域でもある。また、記憶部３８に記憶された指紋データが読出され記憶部４０に格納される。
【００７７】
次のステップａ７２では、画面７７への指の接触による指紋の入力操作があったか否かを中央処理部３２が判断する。指が接触されて、指紋の入力操作があったと判断すると、次のステップａ７３に進む。ここで、アイコン７８ａ〜７８ｆ外への指の接触によって、次の処理に進まないよう制御することも可能である。
【００７８】
ステップａ７３では、指紋データセンシング制御部３３は表示・指紋読取部３４から指紋データと指が接触された位置の座標データとを読出し、記憶部５８に一時記憶し、記憶部４０に転送する。次のステップａ７４では、指紋データを照合し認証して、一致しているか否かを判断する。一致しているときにはステップａ７５に進み、一致していないときにはステップａ８０に進んで、エラー表示を行って動作を終了する。
【００７９】
ステップａ７５では、指紋入力がどのアイコン７８ａ〜７８ｆ内になされたかを判断する。電話帳アイコン７８ａのときにはステップａ７６に、スケジュールアイコン７８ｂのときにはステップａ７７に、ファイル管理アイコン７８ｃのときにはステップａ７８に、アプリケーションアイコン７８ｄのときにはステップａ７９にそれぞれ進む。このフローチャートにはないが、アイコン７８ｅのときは手書きメモのアプリケーションを、アイコン７８ｆのときには音声メモのアプリケーションを起動し、終了する。アイコン７８ａ〜７８ｆ外のときにはそのまま動作を終了する。ステップａ７６〜ａ７８では、指定された各アイコン７８ａ〜７８ｃに対応するアプリケーションの、一致した指紋のユーザのデータのみを読出して表示し、登録、変更および削除などのデータ編集を可能として、動作を終了する。また、ステップａ７９では、ユーザ毎に予め登録されたアプリケーションの中の、一致した指紋のユーザに対応するアプリケーションを起動して、動作を終了する。
【００８０】
なお、ステップａ８０のエラー表示は必要に応じて行えばよく、ステップａ７４で指紋データが一致しないときには直ちに動作を終了しても構わない。
【００８１】
図１５は、情報処理装置３１の第８動作を示すフローチャートである。ステップａ８１では、表示・指紋読取部３４の表示・データ読取画面５９に図１６に示されるようなメニューの指定を促す画面７９が設定され表示される。ここで、メニューはマシン設定およびネットワーク接続の２つであり、前記画面７９には２つのメニュー指定領域８０ａ，８０ｂが設定されている。なお、該メニュー指定領域８０ａ，８０ｂは指紋入力領域でもある。また、記憶部３８に記憶された指紋データが読出され記憶部４０に格納される。
【００８２】
メニュー指定を促す前記画面７９のメニュー指定領域８０ａ，８０ｂは、具体的に図１７に示されるように複数の領域Ａ〜Ｊに区分されている。領域８０ａ，８０ｂの中のどの領域Ａ〜Ｊに指紋入力がなされたかによって、メニュー実行時の権限レベルが指定される。
【００８３】
次のステップａ８２では、画面７９への指の接触による指紋の入力操作があったか否かを中央処理部３２が判断する。指が接触されて、指紋の入力操作があったと判断すると、次のステップａ８３に進む。ここで、メニュー指定領域８０ａ，８０ｂ外への指の接触によって、次の処理に進まないよう制御することも可能である。
【００８４】
ステップａ８３では、指紋データセンシング制御部３３は表示・指紋読取部３４から指紋データと指が接触された位置の座標データとを読出し、記憶部５８に一時記憶し、記憶部４０に転送する。次のステップａ８４では、指紋データを照合し認証して、一致しているか否かを判断する。一致しているときにはステップａ８５に進み、一致していないときにはステップａ９０に進んで、エラー表示を行って動作を終了する。
【００８５】
ステップａ８５では、一致した指紋のユーザに対応する権限データを記憶部３８から読出し、記憶部４０に格納する。次のステップａ８６では、指紋入力がどの領域Ａ〜Ｅ内になされたかを判断する。領域Ａのときにはステップａ８７に、領域ＢまたはＤのときにはステップａ８８に、領域ＣまたはＥのときにはステップａ８９にそれぞれ進み、読出され格納された権限データのレベルであって、各領域Ａ〜Ｅで指定される権限レベルでマシン設定のメニューを実行するようにして動作を終了し、これ以外のときにはそのまま動作を終了する。
【００８６】
なお、ステップａ９０のエラー表示は必要に応じて行えばよく、ステップａ８４で指紋データが一致しないときには直ちに動作を終了しても構わない。
【００８７】
図１８は、情報処理装置３１の第９動作を示すフローチャートである。このフローチャートは図１５のフローチャートのステップａ８７〜８９を削除してステップａ９１〜ａ９３を追加したものであり、同じステップの説明は省略する。ステップａ８６で、指紋入力がどの領域Ｆ〜Ｊ内になされたかを判断する。領域Ｆのときにはステップａ９１に、領域ＧまたはＩのときにはステップａ９２に、領域ＨまたはＪのときにはステップａ９３にそれぞれ進み、読出され格納された権限データのレベルであって、各領域Ｆ〜Ｊで指定される権限レベルでネットワーク接続のメニューを実行するようにして動作を終了し、これ以外のときにはそのまま動作を終了する。
【００８８】
図１９は、情報処理装置３１の第１０動作を示すフローチャートである。ステップａ１０１では、表示・指紋読取部３４の表示・データ読取画面５９に図２０に示されるような報告書８３を有する画面８１が設定され表示される。報告書８３には捺印欄８２が設定されている。なお、該捺印欄８２は指紋入力領域でもある。また、記憶部３８に記憶された指紋データが読出され記憶部４０に格納される。
【００８９】
次のステップａ１０２では、報告書８３への指の接触による指紋の入力操作があったか否かを中央処理部３２が判断する。報告書８３に指が接触されて、指紋の入力操作があったと判断すると、次のステップａ１０３に進む。ここで、指の接触は画面８１の全体であっても構わない。
【００９０】
ステップａ１０３では、指紋データセンシング制御部３３は表示・指紋読取部３４から指紋データと指が接触された位置の座標データとを読出し、記憶部５８に一時記憶し、記憶部４０に転送する。次のステップａ１０４では、指紋の入力が捺印欄８２内へなされたか否かを判断する。捺印欄８２内であったときにはステップａ１０５に進み、それ以外であったときにはステップａ１１１に進んでエラー表示を行って動作を終了する。
【００９１】
ステップａ１０５では、指紋データを照合し認証して、一致しているか否かを判断する。一致しているときにはステップａ１０６に進み、一致していないときにはステップａ１１１に進んで、エラー表示を行って動作を終了する。
【００９２】
ステップａ１０６では、関連データに基づいて、一致した指紋データが報告書の捺印権限所有者か否かを判断する。判断結果が肯定であったときにはステップａ１０７に進み、否定であったときにはステップａ１１０に進んで承認権限がない旨の表示を行って動作を終了する。
【００９３】
ステップａ１０７では、報告書に次の捺印者が設定されているか否かを判断する。設定されているときにはステップａ１０８に進み、設定されていないときにはステップａ１０９に進む。ステップａ１０８では、報告書に指紋入力者の承認印を付加し、承認印が付加された報告書を次の捺印者に回覧する。すなわち、ネットワークを介して次の捺印者にデータ送信する。そして動作を終了する。ステップａ１０９では、報告書に指紋入力者の承認印を付加し、承認印が付加された報告書を報告書ファイルに設定されている保管場所に保管して、動作を終了する。
【００９４】
なお、ステップａ１１０の表示やステップａ１１１のエラー表示は必要に応じて行えばよく、ステップａ１０５で指紋データが一致しないときやステップａ１０６で判断が否定であったときには直ちに動作を終了しても構わない。
【００９５】
図２１は、情報処理装置３１の第１１動作を示すフローチャートである。ステップａ１２１では、表示・指紋読取部３４の表示・データ読取画面５９に図２２に示されるような決済承認願８６を有する画面８４が設定され表示される。決済承認願８６には捺印欄８５が設定されている。なお、該捺印欄８５は指紋入力領域でもある。また、記憶部３８に記憶された指紋データが読出され記憶部４０に格納される。
【００９６】
次のステップａ１２２では、決済承認願８６への指の接触による指紋の入力操作があったか否かを中央処理部３２が判断する。決済承認願８６に指が接触されて、指紋の入力操作があったと判断すると、次のステップａ１２３に進む。ここで、指の接触は画面８４の全体であっても構わない。
【００９７】
ステップａ１２３では、指紋データセンシング制御部３３は表示・指紋読取部３４から指紋データと指が接触された位置の座標データとを読出し、記憶部５８に一時記憶し、記憶部４０に転送する。次のステップａ１２４では、指紋の入力が捺印欄８５内へなされたか否かを判断する。捺印欄８５内であったときにはステップａ１２５に進み、それ以外であったときにはステップａ１３１に進んでエラー表示を行って動作を終了する。
【００９８】
ステップａ１２５では、指紋データを照合し認証して、一致しているか否かを判断する。一致しているときにはステップａ１２６に進み、一致していないときにはステップａ１３１に進んで、エラー表示を行って動作を終了する。
【００９９】
ステップａ１２６では、関連データに基づいて、一致した指紋データが決済承認願の捺印権限所有者か否かを判断する。判断結果が肯定であったときにはステップａ１２７に進み、否定であったときにはステップａ１３０に進んで承認権限がない旨の表示を行って動作を終了する。
【０１００】
ステップａ１２７では、決済承認願の合計金額が承認者の決裁権限内か否かを判断する。権限内であるときにはステップａ１２９に進み、権限内でないときにはステップａ１２８に進む。ステップａ１２８では、決済承認願に指紋入力者の承認印を付加し、承認印が付加された決済承認願次の承認者に回覧する。すなわち、ネットワークを介して次の承認者にデータ送信する。そして動作を終了する。ステップａ１２９では、決済承認願に指紋入力者の承認印を付加し、承認印が付加された決済承認願を決済承認願ファイルに設定されている保管場所に保管しさらに注文書の発行処理を行って、動作を終了する。
【０１０１】
なお、ステップａ１３０の表示やステップａ１３１のエラー表示は必要に応じて行えばよく、ステップａ１２５で指紋データが一致しないときやステップａ１２６で判断が否定であったときには直ちに動作を終了しても構わない。
【０１０２】
図２３は、本発明の実施の他の形態である情報処理装置５７のブロック図である。情報処理装置５７は前記情報処理装置３１とほぼ同様にして構成されるが、座標指定手段としてマウス５２を有し、該マウス５２に指紋読取部の読取面５０を形成したことを特徴とする。前記装置３１と同様の構成要素には同じ参照符号を付して示す。
【０１０３】
指紋認証機能を備える情報処理装置５７の中央処理部３２には、指紋読取動作を制御する指紋データセンシング制御部４９、表示部５１の表示動作を制御する表示制御部３６、マウス５２の動作を制御するポインタ制御部５５、マウスによって指定される表示面上の指紋読取りに関連した座標位置を検出する指紋読取り位置検出部５６、キー入力部３７、記憶部３８、入出力部３９および記憶部４０が接続され、装置全体の動作を統括的に制御する。
【０１０４】
表示部５１は、たとえば液晶表示装置で実現され、直交座標が設定された表示面を有する。指紋読取部は、たとえば公知の技術によって実現され、指が接触される指紋読取面５０を有する。該指紋読取面５０はマウス５２の表面に形成され、たとえばマウス５２が有する左右ボタン５３，５４のうちの一方ボタン、ここでは左ボタン５３に形成される。中央処理部３２は、指紋読取り位置検出部５６によって検出され取得された座標データに基づいて、前記情報処理装置３１と同様に情報処理装置５７の動作を制御し、また取得された指紋データに基づいて前記装置３１と同様に装置５７の動作を制御する。
【０１０５】
【発明の効果】
以上のように本発明によれば、指定された座標毎に定義された情報と、座標指定時に取得された複数の指紋の認証結果との組合せに基づいて情報処理装置の動作を制御するので、指紋認証時における座標指定という簡単な操作によって高度なセキュリティでの情報処理装置の動作制御を可能とする。
【０１０６】
また本発明によれば、暗証番号の認証結果と指紋認証結果との組合せに基づいて情報処理装置の動作を制御するので、さらに高度なセキュリティでの情報処理装置の動作制御を可能とする。
【０１０７】
また本発明によれば、特定の暗証番号以外の番号が取得されたときには指紋認証を行わないようにして、高いセキュリティ性を得ることができる。
【０１０８】
また本発明によれば、指定された座標毎に定義された情報と、座標毎に対応づけられた指の指紋認証結果との組合せに基づいて情報処理装置の動作を制御するので、さらに高度なセキュリティでの情報処理装置の動作制御を可能とする。
【０１０９】
また本発明によれば、指定された座標での複数指の指紋認証結果の組合せに基づいて情報処理装置の動作を制御するので、高度なセキュリティでの情報処理装置の動作制御を可能とする。
【０１１０】
また本発明によれば、指紋が一致したとき、ユーザ毎に予め設定されたアプリケーションの中の一致した指紋のユーザに対応するアプリケーションを起動するので、指紋認証時における座標指定という簡単な操作によって情報処理装置の動作を制御することができる。
【０１１１】
また本発明によれば、一致した指紋のユーザのファイルのみを開くので、指紋認証時における座標指定という簡単な操作によって情報処理装置の動作を制御することができる。
【０１１２】
また本発明によれば、メニュー実行レベル領域が指定されかつ指紋が一致したとき、ユーザ毎に予め設定された実行レベルの中の一致した指紋のユーザに対応する実行レベルであって、指定されたメニュー実行レベル領域の実行レベルでメニューを実行するので、指紋認証時における座標指定という簡単な操作によって情報処理装置の動作を制御することができる。
【０１１３】
また本発明によれば、各指毎の指紋認証結果と指紋入力順に基づいて情報処理装置の動作を制御するので、高いセキュリティ性を得ることができる。
【０１１４】
また本発明によれば、捺印欄を有する書類に対して、指紋読取りに関連して指定された座標が捺印欄内の座標であったときには、承認印が付加されるので、書類に対する捺印の承認に対して高いセキュリティ性を得ることができる。
【０１１５】
また本発明によれば、承認印が付加された書類を通信手段によって通信することができるので、報告書などの書類を次の人に転送して回覧することができる。
【０１１６】
また本発明によれば、承認印が付加された書類を付帯処理手段によって付帯処理することができるので、決済承認願などの書類に対して注文書の発行処理を行うことができる。
【０１１７】
また本発明によれば、表示面と指紋読取面とが同一なので、指紋入力と座標指定とを同一の操作で行うことができ、高い操作性が得られる。また、座標指定手段に指紋読取面が形成されるので、座標指定と指紋入力とを同一の操作で行うことができ、高い操作性が得られる。
【０１１８】
また本発明によれば、特定座標以外の座標が指定されたときには指紋認証を行わないようにして、高いセキュリティ性を得ることができる。
【０１１９】
また本発明によれば、読取られた指紋が予め記憶された指紋と一致していたときに、情報処理装置の電源のオン／オフ動作を制御するので、高いセキュリティ性および操作性を得ることができ、また消費電力の低減を図ることができる。
【０１２０】
また本発明によれば、読取られた指紋が予め記憶された指紋と一致していたときに、ユーザ毎に予め設定された動作条件の中から一致した指紋のユーザに対応する動作条件が読出されて設定されるので、ユーザに適した操作環境や利用機能を設定することができ、高い操作性が得られる。
【図面の簡単な説明】
【図１】本発明の実施の一形態である情報処理装置３１のブロック図である。
【図２】表示・指紋読取部３４の表示・データ読取画面５９を示す図である。
【図３】記憶部３８のユーザ登録データを示す図である。
【図４】情報処理装置を３１の第１動作を示すフローチャートである。
【図５】情報処理装置を３１の第２動作を示すフローチャートである。
【図６】情報処理装置３１の第３動作を示すフローチャートである。
【図７】暗証番号の入力を促す画面７１を示す図である。
【図８】情報処理装置３１の第４動作を示すフローチャートである。
【図９】指紋の入力を促す画面７３を示す図である。
【図１０】情報処理装置３１の第５動作を示すフローチャートである。
【図１１】指紋の入力を促す画面７５を示す図である。
【図１２】情報処理装置３１の第６動作を示すフローチャートである。
【図１３】情報処理装置３１の第７動作を示すフローチャートである。
【図１４】アイコンの指定を促す画面７７を示す図である。
【図１５】情報処理装置３１の第８動作を示すフローチャートである。
【図１６】メニューの指定を促す画面７９を示す図である。
【図１７】前記画面７９のメニュー指定領域８０ａ，８０ｂの複数の領域Ａ〜Ｊを示す図である。
【図１８】情報処理装置３１の第９動作を示すフローチャートである。
【図１９】情報処理装置３１の第１０動作を示すフローチャートである。
【図２０】報告書８３を有する画面８１を示す図である。
【図２１】情報処理装置３１の第１１動作を示すフローチャートである。
【図２２】決済承認願８６を有する画面８４を示す図である。
【図２３】本発明の実施の他の形態である情報処理装置５７のブロック図である。
【図２４】従来技術の情報処理装置１のブロック図である。
【図２５】情報処理装置１の指紋読取部４と表示部７とを示す図である。
【符号の説明】
３１，５７  情報処理装置
３２  中央処理部
３３，４９  指紋データセンシング制御部
３４  表示・指紋読取部
３５  指紋センシングエリア設定部
３６  表示制御部
３８，４０  記憶部
３９  入出力部
４１  プログラム・ワークメモリ
４２  指紋認証部
４３  特徴抽出部
４４  照合部
４５  指紋・関連データ読出し・格納部
４６  読出部
４７  格納部
４８  アプリケーションプログラム格納部
５０  指紋読取面
５１  表示部
５２  マウス
５３  左ボタン
５４  右ボタン
５５  ポインタ制御部
５６  指紋読取位置検出部
５８  座標位置・指紋データ記憶部
５９  表示・データ読取画面
６０  指紋読取領域
【図１】
0003663075.tif 000002
【図２】
0003663075.tif 000003
【図３】
0003663075.tif 000004
【図４】
0003663075.tif 000005
【図５】
0003663075.tif 000006
【図６】
0003663075.tif 000007
【図７】
0003663075.tif 000008
【図８】
0003663075.tif 000009
【図９】
0003663075.tif 000010
【図１０】
0003663075.tif 000011
【図１１】
0003663075.tif 000012
【図１２】
0003663075.tif 000013
【図１３】
0003663075.tif 000014
【図１４】
0003663075.tif 000015
【図１５】
0003663075.tif 000016
【図１６】
0003663075.tif 000017
【図１７】
0003663075.tif 000018
【図１８】
0003663075.tif 000019
【図１９】
0003663075.tif 000020
【図２０】
0003663075.tif 000021
【図２１】
0003663075.tif 000022
【図２２】
0003663075.tif 000023
【図２３】
0003663075.tif 000024
【図２４】
0003663075.tif 000025
【図２５】
0003663075.tif 000026